(57)【特許請求の範囲】
【請求項１】
扁平で筒状の把手挿入部を有し、該把手挿入部の上下それぞれに繊維束からなる繊維層を具備しており、把手を該把手挿入部内に挿入して取り付け可能になされている清掃用物品であって、
前記把手挿入部は、上下の前記繊維層間に介在させた２枚のシートを、把手挿入部の両側に、その長手方向に延びる接合部が形成されるように接合して形成されており、
２枚の前記シートは、それぞれ、前記把手挿入部の長手方向における把手入り口側に、前記接合部の把手入り口側の端部の位置より延出した端部を有しており、
２枚の前記シートの前記端部どうしは接合されていない清掃用物品。
【請求項２】
２枚の前記シートは、前記把手挿入部の長手方向と同方向に長い縦長の形状を有している、請求項１記載の清掃用物品。
【請求項３】
２枚の前記シートは、把手入り口側の端縁の位置がずれている請求項１又は２記載の清掃用物品。
【請求項４】
前記シートの前記端部は、前記把手挿入部の外側に折り返されて強度が高められている請求項１〜３の何れかに記載の清掃用物品。
【請求項５】
前記シートにおける前記端部の幅は、該シートの該端部を除く部分の幅よりも広くなっている請求項１〜３の何れかに記載の清掃用物品。
【請求項６】
前記シートは熱融着性繊維から形成されており、前記端部は、該シートを溶融によりフィルム化して強度が高められている請求項１〜３の何れかに記載の清掃用物品。
【請求項７】
前記シートの前記端部は、他のシート片が接合されて強度が高められている請求項１〜３の何れかに記載の清掃用物品。
【請求項８】
前記把手挿入部における前記把手入り口側の端部は、前記把手と係合可能な部分を有している請求項１〜７の何れかに記載の清掃用物品。
【請求項９】
２枚の前記シートの前記端部は、それぞれ、前記繊維層の外側に出ている部分を有している請求項１〜８の何れかに記載の清掃用物品。
【発明の詳細な説明】
【技術分野】
【０００１】
本発明は、清掃用物品、特に把手挿入部の上下それぞれに繊維層を有し、把手を把手挿入部内に挿入して取り付け可能になされている清掃用物品に関する。
【背景技術】
【０００２】
従来、把手挿入部を有し、把手を該把手挿入部内に挿入して取り付け可能になされている清掃用物品が広く知られている。また、把手挿入部の上下それぞれに繊維層を具備しており、両側で清掃可能な清掃用物品が知られている。この種の清掃用物品は、一方の側の繊維層が汚れても、他方の側の繊維層を使用することができる。また、家具と壁との隙間等を清掃する場合には、隙間における家具と壁との両方を同時に清掃することもできる。
【０００３】
一方、把手挿入部の上下それぞれに繊維層を有していると、把手挿入部の入り口部分が繊維に覆われて、把手を把手挿入部に挿入しづらい場合がある。特に、両側に繊維層がある場合には、一方の側の繊維層のみが汚れていて、他方の側の繊維層は汚れていない場合に、一方と他方の側の繊維層を入れ替える際にも、把手の清掃用物品からの取り外し及び取り付け作業が生じる。
また、把手の清掃用物品への装着が容易となる工夫がなされている清掃用物品がある。
【０００４】
例えば、特許文献１において、清掃用物品には平行に延びる２つの把手挿入部の空間が形成され、この空間の内幅寸法が把手における把持部の先端から二股に分岐した挿入部それぞれの幅寸法よりも広く形成されており、前記２つの空間のそれぞれに挿入部が挿入されるときに、把手の挿入部に形成された突部が前記空間の内部を摺動して、挿入部がその間隔が狭まるように変形する清掃用物品及びその把手が提案されている。
【０００５】
【特許文献１】特開２００３−２６５３９０号公報
【発明の開示】
【発明が解決しようとする課題】
【０００６】
特許文献１記載の清掃用物品によれば、把手の挿入部を、清掃用物品における把手挿入部の入り口から内部へ挿入した後に、把手挿入部内の空間において、把手の挿入部が摺動し易い部分があるものの、把手の挿入部を、清掃用物品における把手挿入部の入り口へ入れ易くすることへの対策は施されていない。また、把手の挿入部を、清掃用物品における把手挿入部の入り口から内部へ挿入した後に把手挿入部内で摺動させる際、片方の手で把手を持ち、他方の手で清掃用物品を持って作業を行うが、繊維等の柔らかい材料から形成されている清掃用物品において、把手挿入部も同様に柔らかいため、棒状の挿入部を最後まで挿入することが容易でなく、把手の挿入部を途中までしか挿入しない場合がある。そして、その状態で清掃作業を行なっている場合もある。
【０００７】
従って本発明の目的は、両側に繊維層を有する清掃用物品において、把手を把手挿入部へ挿入し易い清掃用物品を提供することにある。
【課題を解決するための手段】
【０００８】
本発明は、扁平で筒状の把手挿入部を有し、該把手挿入部の上下それぞれに繊維束からなる繊維層を具備しており、把手を該把手挿入部内に挿入して取り付け可能になされている清掃用物品であって、前記把手挿入部は、上下の前記繊維層又は該両繊維層間に介在させた他の２つの部材を、把手挿入部の両側に、その長手方向に延びる接合部が形成されるように接合して形成されており、該把手挿入部は、把手入り口側の端部に未接合の部分を有している清掃用物品を提供することにより前記目的を達成したものである。
【発明の効果】
【０００９】
本発明の両側に繊維層を有する清掃用物品によれば、把手を把手挿入部へ挿入し易い。
【発明を実施するための最良の形態】
【００１０】
以下、本発明の清掃用物品の好ましい第１実施形態について、図１〜図４を参照しながら説明する。
【００１１】
本実施形態の清掃用物品１０は、図１〜図３に示すように、全体として縦長で扁平な形状を有するものであり、扁平で筒状の一対の把手挿入部１５，１５を有し、一対の該把手挿入部１５，１５の上下それぞれに繊維束からなる繊維層１１ａ，１１ｂと繊維層１１ｃ，１１ｄとを具備しており、把手２０を一対の該把手挿入部１５，１５内に挿入して取り付け可能になされている。
また、本実施形態の清掃用物品１０において、一対の把手挿入部１５，１５それぞれは、上下の繊維層１１ｂ、１１ｃ間に介在させた２枚の縦長のシートである把手装着用シート１３ａ，１３ｂを、把手挿入部１５の両側に、その長手方向に延びる接合部が形成されるように接合して形成されており、該把手挿入部１５は、把手入り口１５１側の端部１３１ａ、１３１ｂに未接合の部分を有している。
【００１２】
本実施形態の清掃用物品１０について詳述すると、２枚の縦長矩形の把手装着用シート１３ａ，１３ｂは、それらの長手方向が、清掃用物品１０の長手方向と一致している。把手装着用シート１３ａ，１３ｂは、それらの長さが繊維層１１ａ，１１ｂ，１１ｃ，１１ｄよりも長くなっている。しかし、把手装着用シート１３ａ，１３ｂの幅は、繊維層１１ａ，１１ｂ，１１ｃ，１１ｄの幅よりも狭くなっている。
【００１３】
本実施形態の清掃用物品１０において、更に説明すると、一対の把手挿入部１５，１５は、図３に示すように、２枚の把手装着用シート１３ａ，１３ｂが、該シートの幅方向に離間し、それぞれ長手方向に延びる３つの接合部１６ａ，１６ｂ，１６ｃで貼り合わされて形成されている。
【００１４】
２枚の把手装着用シート１３ａ，１３ｂは、把手入り口１５１側の端縁の位置がずれている。２枚の前記シート１３ａ，１３ｂの長さは、図２及び図３に示すように、異なっていて、長手方向における把手入り口１５１と反対方向の端縁を揃えて接合されている。本実施形態においては、上側に位置している把手装着用シート１３ａの方が短くなっている。
【００１５】
本実施形態の清掃用物品１０において、一対の把手挿入部１５，１５それぞれは、図３に示すように、把手装着用シート１３ａ，１３ｂの長手方向に亘り形成されている。一対の把手挿入部１５，１５それぞれは、本物品１０が包装されている状態においては、両シート１３ａ，１３ｂが重なった状態にあるが、後述する把手２０を挿入した場合には、両シート１３ａ，１３ｂの部分が離間し、扁平な筒状の空間が形成されるようになされている。
【００１６】
筒状の把手挿入部１５は、該シート１３ａ，１３ｂにおける長手方向の一方の端部１３１ａ，１３１ｂに開口部を有しており、該開口部は把手挿入部の把手入り口１５１となっており、把手２０は該入り口１５１から把手挿入部１５内部に挿入可能となっている。本実施形態の清掃用物品１０で清掃する際には、図１に示すように、把手２０を一対の把手挿入部１５，１５に挿入固定した状態で用いられる。
【００１７】
本実施形態の清掃用物品１０における一対の把手挿入部１５，１５において、その幅方向中央部に位置している接合部１６ｂは、直線状のヒートシールであって、該シート１３ａ，１３ｂの長手方向に亘り形成されている。接合部１６ｂの位置は、把手装着用シート１３ａ，１３ｂの幅方向中央部でもある。
【００１８】
前記接合部１６ｂの両脇に配されている２つの接合部１６ａ，１６ｃ（図３において点線で囲まれた部分）それぞれは、円形のヒートシールによるエンボス部１８が、該シート１３ａ，１３ｂの長手方向に等間隔に並んで形成されている。接合部１６ａ、１６ｃそれぞれにおいて、エンボス部１８同士の間の部分における２枚の該シート１３ａ,１３ｂ同士は接合されていない。２つの接合部１６ａ、１６ｃそれぞれは、前記接合部１６ｂから幅方向に略等距離離れて形成されている。
【００１９】
２枚の把手装着用シート１３ａ，１３ｂにおいて、把手入り口１５１側に対して長手方向反対側の端部は、図３に示すように、ヒートシールにより直線状に接合されており、一対の把手挿入部１５，１５それぞれは袋状の空間となっていて、把手２０における挿入部２２先端の挿入が規制されるようになされている。
【００２０】
前述したように、本実施形態の清掃用物品１０における一対の把手挿入部１５，１５は、２枚の把手装着用シート１３ａ，１３ｂから形成されていて、２枚の把手装着用シート１３ａ，１３ｂの端部１３１ａ，１３１ｂそれぞれは、図２及び図３に示すように、把手挿入部１５の外側に折り返されて強度が高められている。２つの端部１３１ａ，１３１ｂそれぞれは、その折り返されている部分が、対向面に接合されていて、他の部分よりも厚みが増している。折り返されている部分の接合は、ヒートシール、接着剤等の公知の固定手段が好ましく用いられる。２つの端部１３１ａ，１３１ｂそれぞれは、すべて２つ折りに折り返されて形成されていても良いし、本実施形態のように部分的に折り返されていても良い。
本実施形態において、把手装着用シート１３ａの把手入り口側の端縁は、折り返され折曲されている部分である。把手装着用シート１３ｂの把手入り口側の端縁についても同様である。
【００２１】
２枚の把手装着用シート１３ａ，１３ｂにおいて、前記端部１３１ａ，１３１ｂの折り返されている部分それぞれの強度の程度は、通常の引張試験により、引張速度３００ｍｍ／ｍｉｎで測定した単位幅あたりの強度が、０．５Ｎ/ｍｍ以上であることが好ましく、特に０．６Ｎ/ｍｍ以上であることが好ましい。折り返されている部分の切片は、把手装着用シート１３ａ，１３ｂの把手入り口１５１側の端縁から内側へ幅２０ｍｍの部分を切り取って作成した。前記強度の上限値に特に制限はない。
【００２２】
また、２枚の該把手装着用シート１３ａ，１３ｂは、図３及び図４に示すように、把手入り口１５１側の端部１３１ａ，１３１ｂに未接合の部分を有している。具体的には、２枚の把手装着用シート１３ａ，１３ｂそれぞれは、把手入り口１５１近傍において、何れの接合部１６ａ，１６ｂ，１６ｃによっても貼り合わされていない部分を有している。本明細書において、把手装着用シート１３ａの端部１３１ａは、その端縁から接合部１６ａ、１６ｂ、１６ｃにおける把手入り口１５１側の端部までの部分である。把手装着用シート１３ｂの端部１３１ｂについても同様である。
【００２３】
前述した把手入り口１５１側の２つの端部１３１ａ、１３１ｂそれぞれは、把手２０を清掃用物品の把手挿入部１５に挿入する際、摘み部として用いられることが好ましい。前記端部１３１ａ、１３１ｂには折り返しが設けられ、剛性が高くなっていて、摘み易くなっている。
【００２４】
本実施形態の清掃用物品１０について、更にまた説明すると、４つの繊維層１１ａ，１１ｂ，１１ｃ，１１ｄは、所定の厚みをもって繊維束が配向されてなるものである。繊維束は、図１及び図２に示すように、清掃用物品１０の幅方向に略配向している。
隣り合う繊維層である繊維層１１ａと繊維層１１ｂとの間には、縦長矩形の掻き出し用シート１２ａが配されている。同様に繊維層１１ｃと繊維層１１ｄとの間には、縦長矩形の掻き出し用シート１２ｂが配されている。２枚の掻き出し用シート１２ａ，１２ｂは同形をしている。また２枚の掻き出し用シート１２ａ，１２ｂはそれらの長手方向が、清掃用物品１０の長手方向と一致している。
【００２５】
各繊維層１１ａ〜１１ｄと、２枚の縦長の把手装着用シート１３ａ，１３ｂと、２枚の掻き出し用シート１２ａ，１２ｂとは、各繊維層１１ａ〜１１ｄにおける繊維の配向方向が、掻き出し用シート１２ａ，１２ｂ及び把手装着用シート１３ａ，１３ｂの長手方向と略直交するように積層されている。更に繊維層、把手装着用シート及び掻き出し用シートは、それらの幅方向中央部を一致させて、把手装着用シート及び掻き出し用シートの長手方向にわたり接合されている。接合は、所定幅をもった直線状の接合ライン１４に沿って行われる。接合ライン１４は、繊維層、把手装着用シート及び掻き出し用シートの幅方向中央部に形成される。接合ラインは、例えば熱融着、接着剤による接着などの公知の接合手段によって形成される。繊維層、把手装着用シート及び掻き出し用シートの何れもが熱融着性の材料から構成されている場合には、熱融着によって接合ライン１４を形成することが簡便である。この場合、一対の把手挿入部１５，１５を形成している接合部１６ｂは、接合ライン１４の形成と共に設けられることが好ましい。
【００２６】
また、繊維層１１ｂと把手装着用シート１３ａ,１３ｂと繊維層１１ｃとは、接合部１６ａ、１６ｃを形成しているエンボス部１８，１８…において融着されていることが、清掃用物品１０に対して、柔軟性を確保しつつ剛性が与えられる観点から好ましい。
【００２７】
また把手２０は、図２に示すように、把持部２１と把持部の先端から二股に分岐した挿入部２２，２２とを備えている。把持部２１と挿入部２２とは所定の角度をなしている。挿入部２２は細長い扁平な板状の形状をしている。挿入部２２がこのような形状となっていることで、挿入部２２に可撓性が付与される。このことは、曲面や凹凸を有する清掃対象面を清掃した場合に、清掃用物品１０が清掃対象面に追従し易くなり、埃の除去効率が高まる観点から有利である。各挿入部２２は、２枚の把手装着用シート１３ａ，１３ｂによって形成される把手挿入部１５内にそれぞれ挿入される。
【００２８】
把手２０において挿入部２２，２２間に挿入部２２よりも短い長さを有するフック部等を設ける共に、把手挿入部における把手入り口１５１側の端部１３１ａ、１３１ｂがスリット等の把手２０と係合可能な部分を有していることも好ましい。このような構成は、前記フック部等が前記端部１３１ａ、１３１ｂと係合することで、把手２０が清掃用物品１０から抜けにくくなる上で好ましい。
【００２９】
前述した本発明の清掃用物品１０における２枚の把手装着用シート１３ａ、１３ｂにおいて、把手入り口１５１側の端部１３１ａ、１３１ｂにおける未接合部の長手方向の長さＬ１（図３参照）は、繊維層の端部の位置及び把手２０の入れやすさ即ち16bから16aあるいは、16cとの距離とも関連する。把手２０の入れやすさの観点から、長さＬ１は、前記距離が大きくゆるい場合は、１〜１０ｍｍ程度であることが好ましいが、前記距離が狭くきつい場合は、３〜３０ｍｍ程度であることが好ましい。前記端部１３１ａ、１３１ｂにおける未接合部の一部が繊維層の内側に入り込んでいる場合には、該未接合部が繊維層の内側に入り込んでいる部分の長さＬ１１は、０〜２０ｍｍであることが好ましく、０〜１０ｍｍであることが特に好ましく、また該未接合部が繊維層の外側に出ている部分の長さＬ１２は、１〜３０ｍｍであることが好ましく、２〜２０ｍｍであることが特に好ましい。この場合、未接合部の長さＬ１は、長さＬ１１と長さＬ１２との和である。尚、未接合部の長さＬ１は、図３に示すように、把手装着用シート１３ａにおける把手入り口１５１側の端縁から接合部１６ａ、１６ｂ、１６ｃにおける把手入り口１５１側の端部までの長さであり、前記端部１３１ａの折り返されている該シート１３ａの部分は含まない。
【００３０】
また、２つの端部１３１ａ，１３１ｂそれぞれが、把手挿入部１５の外側に折り返されている部分の長さＬ２（図３参照）は特に同じである必要はない。長さＬ２は、具体的には、前述したのと同様の観点から、３〜３０ｍｍであることが好ましく、３〜１５ｍｍであることが特に好ましい。
また、２枚の把手装着用シート１３ａ、１３ｂにおける把手入り口側の端縁の位置のずれを長手方向に沿って測った長さＬ３（図３参照）は、前述したのと同様の観点から、０〜１０ｍｍであることが好ましく、1〜５ｍｍであることが特に好ましい。
【００３１】
把手入り口１５１側の２つの端部１３１ａ、１３１ｂそれぞれは、把手２０を清掃用物品１０に装着する際には、摘み部として用いられることが好ましい。例えば、一方の手で把手２０の把持部２１を持ち、他方の手で、図４に示すように、上側の把手装着用シート１３ａの端部１３１ａを摘む。このようにすると、２枚の把手装着用シート１３ａ，１３ｂにおける端部１３１ａ，１３１ｂそれぞれは、互いに離間し一対の把手入り口１５１，１５１が開く。一対の把手入り口１５１，１５１それぞれが開口するので、把手２０の二股に分岐している挿入部２２，２２それぞれは、該入り口１５１に挿入し易くなる。
【００３２】
更に、一方の手で端部１３１ａを持ちつつ、他方の手で把手２０を把手挿入部１５の内部へ挿入する。清掃用物品１０は、その長手方向の一端である端部１３１ａが摘まれ、他端は自重により下方に垂れ下っているので、把手挿入部１５内の筒状の空間は長手方向に延び且つ広がった状態となる。そのため、把手２０の挿入部２２は、把手挿入部１５内の筒状の空間に沿ってスムーズに進み、途中で引っかかることなく、挿入部２２の先端を把手挿入部１５の奥まで挿入することができる。
【００３３】
次に、本実施形態の清掃用物品１０を構成する各部材について説明すると、把手装着用シート１３ａ，１３ｂの形成材料としては、従来の清掃用物品に用いられている不織布等の繊維シートに加え、一般に包装材料として使用されるプラスチックフィルムを用いることができる。特に、熱融着可能な成分を含むエアスルー不織布もしくはスパンボンド不織布又はプラスチックフィルムが好ましい。
また、各繊維層１１ａ〜１１ｄを構成する繊維としては、繊維長が３０〜１５０ｍｍ、特に５０〜１２０ｍｍのものを用いることが、埃の絡み取り性の点から好ましい。本実施形態においては、このような繊維長を有する繊維を繊維束（トウ）の状態で用いる。その際には公知の開繊装置を用いて繊維を十分に開繊しておくことが好ましい。
【００３４】
前述した本実施形態の清掃用物品１０によれば、２枚の把手装着用シート１３ａ、１３ｂにおける把手挿入部の入り口１５１側の端部１３１ａ、１３１ｂそれぞれが折り返されており且つそれぞれの位置がずれているので、把手２０を、本物品１０へ挿入し易くなされている。
【００３５】
また、本実施形態の清掃用物品１０は、上方に曲がっている把手２０に対して、最も下側の繊維層１１ｄ、特に、該繊維層１１ｄにおける把手２０に対して反対側の端部が清掃操作により汚れ易い。このように、繊維層１１ｄが清掃操作により汚れた場合には、把手２０を清掃用物品１０から取り外し、清掃用物品１０の上下を取り替え、汚れていない上側の繊維層１１ａを下側にした後、再度、把手２０を清掃用物品１０に取り付けることが好ましい。本実施形態の清掃用物品１０は、把手２０を、清掃用物品１０における把手挿入部１５へ挿入し易いため、清掃用物品１０の上下の取替作業が容易となっている。
【００３６】
次に、本発明の第２〜４実施形態の清掃用物品１０を、図５及び図６を参照しながら説明する。第２〜４実施形態について、特に説明しない点については、第１実施形態に関して詳述した説明が適宜適用される。また、図５及び図６において、図１〜図４と同じ部材に同じ符号を付してある
【００３７】
本発明の好ましい第２実施形態の清掃用物品１０において、一対の把手挿入部１５，１５は、２枚の把手装着用シート１３ａ、１３ｂが接合されて形成されており、２枚の該把手装着用シート１３ａ、１３ｂにおける把手入り口１５１側の端部１３１ａ、１３１ｂの幅それぞれは、図５に示すように、２枚の該シート１３ａ、１３ｂの端部１３１ａ、１３１ｂを除く部分の幅よりも広くなっていて摘み易くなっている。
２つの幅広の端部１３１ａ、１３１ｂそれぞれは、前記繊維層の長手方向の端部から外側に延出している。また、本実施形態において、２つ端部１３１ａ、１３１ｂそれぞれは、折り返されていない。
【００３８】
２つの端部１３１ａ、１３１ｂそれぞれは、把手入り口１５１側の端縁から内側に所定の長さが、一定の幅で幅広となっている。２つの端部１３１ａ、１３１ｂの幅は、同じであることが好ましく、その幅は、具体的には、摘み易く且つ清掃操作を妨げない観点から、前記端部１３１ａ、１３１ｂを除く部分の幅よりも２〜２０ｍｍ長いことが好ましい。また、長さの短いシート１３ａにおける幅広の部分の長さＬ４（図５参照）は、同様の観点から、０．３〜２ｃｍであることが好ましい。
【００３９】
また、２枚の把手装着用シート１３ａ，１３ｂ同士は、端部１３１ａ、１３１ｂにおいて、何れの接合部１６ａ，１６ｂ，１６ｃによっても接合されていない。
本実施形態の清掃用物品１０によれば、２枚の該把手装着用シート１３ａ、１３ｂにおける端部１３１ａ、１３１ｂの幅が広くなっていて、摘み易くなっており、前述した第１実施形態と同様の効果が得られる。
【００４０】
本発明の好ましい第３実施形態の清掃用物品１０において、一対の把手挿入部１５，１５は、熱融着性繊維から形成されている２枚の把手挿入部シート１３ａ、１３ｂが接合されてなる。２枚の該把手挿入部シート１３ａ、１３ｂにおける把手入り口１５１側の端部１３１ａ、１３１ｂそれぞれは、図６に示すように、その端縁近傍が該シート１３ａ、１３ｂを溶融によりフィルム化して強度が高められていて、摘み易くなっている。
【００４１】
２つの幅広の端部１３１ａ、１３１ｂそれぞれは、前記繊維層の長手方向の端部から外側に延出している。また、本実施形態において、２つ端部１３１ａ、１３１ｂそれぞれは、折り返されていない。
２つの端部１３１ａ、１３１ｂそれぞれにおいてフィルム化している部分は、把手入り口１５１側の端縁から内側に所定の長さが熱により溶融されている。前記所定の長さＬ５（図６参照）は、２枚の前記シート１３ａ、１３ｂにおいて同じであることが好ましく、具体的には、摘み易く且つ清掃操作を妨げない観点から、１〜３０ｍｍであることが好ましい。
【００４２】
また、２枚の把手装着用シート１３ａ，１３ｂ同士は、端部１３１ａ、１３１ｂにおいて、何れの接合部１６ａ，１６ｂ，１６ｃによっても接合されていない。
【００４３】
２枚の把手装着用シート１３ａ，１３ｂにおいて、前記端部１３１ａ，１３１ｂのフィルム化している部分それぞれの強度の程度は、該フィルム化している部分の長さ８０ｍｍ幅５ｍｍ切片を、通常の引張試験により、チャック間５０ｍｍ、引張速度３００ｍｍ／ｍｉｎで測定した単位幅あたりの強度が、０．３５Ｎ/ｍｍ以上であることが好ましく、特に０．３８Ｎ/ｍｍ以上であることが好ましい。フィルム化している部分の切片は、把手装着用シート１３ａ，１３ｂの把手入り口１５１側の端縁から内側へ幅２０ｍｍの部分を切り取って作成した。
【００４４】
本実施形態の清掃用物品１０において、把手装着用シート１３ａ，１３ｂの材料としては、従来の清掃用物品に用いられている熱融着性繊維から形成されている不織布等の繊維シートまたは包装材料として使用されているプラスチックフィルムが好ましい。前記繊維シートを形成している熱融着性繊維としては、特にポリエチレン、ポリプロピレン、ポリエチレンテリフタレート及びこれらの複合繊維等が好ましく、更にこれらの材料は前記フィルム用原料としても好ましい。
【００４５】
本実施形態の清掃用物品１０によれば、２枚の該把手装着用シート１３ａ、１３ｂにおける把手入り口１５１側の端縁近傍がフィルム化して強度が高くなっていて摘み易くなっており、前述した第１実施形態と同様の効果が得られる。
【００４６】
本発明の好ましい第４実施形態の清掃用物品１０において、一対の把手挿入部１５，１５は、２枚の把手挿入部シート１３ａ、１３ｂが接合されて形成されており、２枚の該把手装着用シート１３ａ、１３ｂにおける把手入り口１５１側の端部１３１ａ、１３１ｂそれぞれは、その端縁に他のシート片３が接合されて強度が高められていて、摘み易くなっている。
【００４７】
２つの幅広の端部１３１ａ、１３１ｂそれぞれは、前記繊維層の長手方向の端部から外側に延出している。また、本実施形態において、２つ端部１３１ａ、１３１ｂそれぞれは、折り返されていない。
２枚の前記シート１３ａ、１３ｂに貼りあわされているシート片３，３それぞれは、同形であることが好ましい。具体的には、シート片３の縦の長さは、把手装着用シート１３ａ、１３ｂの幅と同じであることが好ましく、シート片３の横の長さは、摘み易く且つ清掃操作を妨げない観点から、２〜３０ｍｍであることが好ましい。
【００４８】
本実施形態の清掃用物品１０におけるシート片３の縦方向の一方の側縁は、２枚の前記シート１３ａ、１３ｂにおける把手入り口１５１側の端縁それぞれに揃えて貼り合わされている。
また、２枚の把手装着用シート１３ａ，１３ｂ同士は、端部１３１ａ、１３１ｂにおいて、何れの接合部１６ａ，１６ｂ，１６ｃによっても接合されていない。
【００４９】
２枚の把手装着用シート１３ａ，１３ｂにおいて、前記端部１３１ａ，１３１ｂのシート片３が貼り合わされている部分それぞれの強度の程度は、通常の引張試験により、引張速度３００ｍｍ／ｍｉｎで測定した単位幅あたりの強度が、０．５Ｎ/ｍｍ以上であることが好ましく、特に０．６Ｎ/ｍｍ以上であることが好ましい。シート片３が貼り合わされている部分の切片は、前記把手装着用シートの把手入り口１５１側の端縁から内側へ幅２０ｍｍの部分を切り取って作成した。
【００５０】
本実施形態の清掃用物品１０によれば、２枚の該把手装着用シート１３ａ、１３ｂにおける把手入り口１５１側の端部１３１ａ、１３１ｂそれぞれは、その端縁に他のシート片３，３が接合されて剛性が高くなっていて摘み易くなっており、前述した第１実施形態と同様の効果が得られる。
【００５１】
本発明の清掃用物品は、前述した実施形態に制限されることなく、本発明の趣旨を逸脱しない限り適宜変更が可能である。
例えば、本発明の清掃用物品における把手挿入部は、上下の繊維層から形成されていても良い。例えば、相隣り合う２つの繊維層が接合されて、筒状の把手挿入部が形成されることが好ましく、２つの該繊維層における把手入り口側の端部に未接合の部分を有している。
また、各実施形態において、一対の把手挿入部が設けられていたが、把手挿入部は一つでも良い。
【００５２】
また、各実施形態において、２枚の把手装着用シートの長さは、繊維層よりも長く形成されていたが、該繊維層と略同じ長さに形成されていても良い。
【００５３】
前述した一の実施形態における説明省略部分及び一の実施形態のみが有する要件は、それぞれ他の実施形態に適宜適用することができ、また、各実施形態における要件は、適宜、実施形態間で相互に置換可能である。
また、本発明の清掃用物品は、各繊維層の繊維を毛羽立たせても良い。各繊維層の繊維全体を毛羽立たせた場合、本物品は、その全体の形状が円柱状となり、繊維層端部の面積が増加し、その捕集効果が高められる。
【００５４】
本発明の清掃用物品は、通常乾式の状態で、使い捨ての物品として、例えばテーブルや机、タンスなどの家具、テレビやビデオデッキ、冷蔵庫などの家電製品等の清掃に用いられる。また、部屋の隅部や、壁と家具との間の狭い隙間の清掃にも用いられる。
【図面の簡単な説明】
【００５５】
【図１】図１は、本発明の清掃用物品の第１実施形態を示す斜視図である。
【図２】図２は、図１に示す清掃用物品の分解斜視図である。
【図３】図３は、第１実施形態における清掃用物品の把手装着用シートを示す平面図である。
【図４】図４は、長さの短い把手装着用シートの把手入り口側の端部を摘んでいる状態の斜視図である。
【図５】図５は、第２実施形態における清掃用物品の把手装着用シートを示す平面図である。
【図６】図６は、第３実施形態における清掃用物品の把手装着用シートを示す平面図である。
【符号の説明】
【００５６】
１０  清掃用物品
１１ａ，１１ｂ，１１ｃ，１１ｄ  繊維層
１２ａ，１２ｂ  掻き出し用シート
１３ａ，１３ｂ  把手装着用シート（シート）
１３１ａ、１３１ｂ  把手入り口側の端部（端部）
１４  接合ライン
１５  把手挿入部
１５１  把手入り口
１６ａ、１６ｂ、１６ｃ  接合部
１８  エンボス部
２０  把手
３    シート片
【図１】
0004657075.tif 000002
【図２】
0004657075.tif 000003
【図３】
0004657075.tif 000004
【図４】
0004657075.tif 000005
【図５】
0004657075.tif 000006
【図６】
0004657075.tif 000007